(57)【要約】      （修正有）【課題】眼鏡や帽子に取り付けて使用できフェイスシールドを提供する。【解決手段】目の下を通って鼻と口を覆う透明な樹脂板で構成されるプレート２の両端からそれぞれ上方に延びる帯状のアーム３を形成し、アームの上端を眼鏡のテンプルや帽子のスベリから吊り下げて取り付ける。【選択図】図１
0003228055.tif 000002
【実用新案登録請求の範囲】
【請求項１】
目の下を通って鼻と口を覆う透明な樹脂板で構成されるプレートの両端からそれぞれ上方に延びる帯状のアームを形成し、アームの上端を眼鏡のテンプルに巻回してプレートを吊下したことを特徴とする眼鏡に取り付けられるフェイスシールド。
【請求項２】
アームの先端から舌片を突起させ、その下方に横伸するスリットを形成し、アームをテンプルに巻回して舌片をスリットに挿入してアームをテンプルから吊下した請求項１の眼鏡に取り付けられるフェイスシールド。
【請求項３】
プレートを顔の形状に即して前方に凸に彎曲させた請求項１又は２の眼鏡に取り付けられるフェイスシールド。
【請求項４】
目の下を通って鼻と口を覆う透明な樹脂板で構成されるプレートの両端からそれぞれ上方に延びる帯状のアームを形成し、アームの上端を帽子の内側下縁に設けられるスベリに折り込んでプレートを吊下したことを特徴とする帽子に取り付けられるフェイスシールド。
【請求項５】
スベリの下縁が帽子に対して屈伸可能であり、スベリを折り曲げてアームを挟持した請求項４の帽子に取り付けられるフェイスシールド。
【請求項６】
プレートを顔の形状に即して前方に凸に彎曲させた請求項４又は５の帽子に取り付けられるフェイスシールド。
【考案の詳細な説明】
【技術分野】
【０００１】
本考案は、眼鏡や帽子(以下、眼鏡等という)に取り付けられるフェイスシールドに関するものである。
【背景技術】
【０００２】
昨今、新型コロナウィルスの感染が大きな不安となっている。感染防止として、マスクに加えて、顔のほぼ全面を覆うフェイスシールドが用いられている。いわば、肌に密着しない大型のマスクといったものである．フェイスシールドの主体を構成する透明なプレートを顔の前面に固定するには、これをバンドに取り付け、バンドを頭に回して固定している。したがって、バンドを必要とするし、着脱が煩わしい。
【０００３】
このため、下記特許文献１のようなヘルメットにプレートを取り付け、プレートの一部に拡大鏡を設けたものがある。これによると、フェイスシールドを使用しようとするときにはヘルメットを被らなければならないし、拡大鏡も常時必要とは限らない。また、フェイスシールドをヘルメットに対して昇降可能にして使用、不使用の使い分けができるとしている。しかし、このような構成にすると、構造が複雑になってコストが高くなるし、大げさになり過ぎて却って使い勝手が悪くなることがある。
【先行技術文献】
【特許文献】
【０００４】
【特許文献１】特開２０１７―２５４２６号公報
【考案の概要】
【考案が解決しようとする課題】
【０００５】
本考案は、大げさにならず、眼鏡等に簡単に取り付けるだけで使用できるフェイスシールドを提供したものである。
【課題を解決するための手段】
【０００６】
以上の課題の下、本考案は、請求項１に記載した、目の下を通って鼻と口を覆う透明な樹脂板で構成されるプレートの両端からそれぞれ上方に延びる帯状のアームを形成し、アームの上端を眼鏡のテンプルに巻回してプレートを吊下したことを特徴とする眼鏡に取り付けられるフェイスシールドを提供する。また、以上のフェイスシールドにおいて、請求項２に記載した、アームの先端から舌片を突起させ、その下方に横伸するスリットを形成し、アームをテンプルに巻回して舌片をスリットに挿入してアームをテンプルから吊下した構成、請求項３に記載した、プレートを顔の形状に即して前方に凸に彎曲させた構成を提供する。
【０００７】
加えて、本考案は、請求項４に記載した、目の下を通って鼻と口を覆う透明な樹脂板で構成されるプレートの両端からそれぞれ上方に延びる帯状のアームを形成し、アームの上端を帽子の内側下縁に設けられるスベリに折り込んでプレートを吊下したことを特徴とする帽子に取り付けられるフェイスシールドを提供するとともに、これにおいて、請求項５に記載した、スベリの下縁が帽子に対して屈伸可能であり、スベリを折り曲げてアームを挟持した構成、請求項６に記載した、プレートを顔の形状に即して前方に凸に彎曲させた構成を提供する。
【考案の効果】
【０００８】
請求項１又は４の考案によれば、簡単な構造で軽い上に操作が容易である。また、安価に製作できる。もちろん、プレートは透明であるから、見通しを阻害しない。請求項２の構成によれば、アームの眼鏡への取り付けが簡単である。請求項３又は５の構成によれば、プレートが顔の形状に沿い、フィット感がよいし、シールド効果も高い。
【図面の簡単な説明】
【０００９】
【図１】フェイスシールドの正面図である。
【図２】眼鏡のテンプルにフェイスシールドのアームを取り付けた側面図である。
【図３】眼鏡のテンプルにフェイスシールドのアームを取り付けた側面図である
【図４】眼鏡にフェイスシールドを取り付けた斜視図である。
【図５】帽子のスベリにフェイスシールドのアームを取り付けた側面図である。
【図６】帽子のスベリにフェイスシールドのアームを取り付けた斜視図である。
【図７】帽子にフェイスシールドを取り付けた斜視図である。
【考案を実施するための形態】
【００１０】
以下、本考案の実施の形態を図面を参照して説明する。図１は本願の第一の考案に係るフェイスシールドの正面図であるが、このフェイスシシールド１は、眼鏡に取り付けられるものであるが、顔の前面にあって、目の下から鼻と口を覆う透明な樹脂板で構成されるプレート&#9353;を主体とする。そして、プレート&#9353;の両側上端からは帯状のアーム３が上延されており、それぞれの先端には舌片４が形成されている。つまり、横長のＵ字形をしているものである。一方、舌片４の下方のアーム３には、横に幅のないスリット５が形成されている。これにおいて、サイズは、横幅がアーム３の外端から外端までが２５０ｍｍ，高さが舌片４の上端から低縁までが１８５ｍｍ程度である。また、厚みは０.５ｍｍ程度で、材質はＰＥＴ(ポリエチレンテレフタート)が適するが、これに限定されない、
【００１１】
図２、図３はフェイスシシールド１のアーム３を眼鏡６のテンプル７に取り付けた一部側面図であり、図４はこのフェイスシールド１を取り付けた眼鏡６を掛けた斜視図である。なお、テンプル７とはつるのことであり、前方に蝶番８を介して智９が設けられてレンズ１０を保持するリム１１に連結されている。ところで、眼鏡６の分野では、部位、部品に特有の呼び名があり、上記した蝶番８や智９の他にレンズ１０を保持するフロント１２、左右のリム１１を繋ぐブリッジ1３、鼻あてのパッド1４、テンプル７の後端の耳に引っ掛けるモダン１５といったものがある。
【００１２】
以上のアーム３をテンプル７に取り付けるには、テンプル７の蝶番８の後方辺りでアーム３をテンプル７に巻回させ、舌片４をスリット５に差し込む。このとき、スリット５が幅のないものになっていることは、舌片４がスリット５から抜け出るのを防ぐ。なお、予め舌片４をスリット５に通して輪っか１６を作っておき、この輪っか１６をテンプル７の後端すら通してもよい。ただ、テンプル７の厚みや幅には種々のものがあるから、舌片４とスリット５の間隔を大きくとって輪っか１６の径をある程度大きくしておくのが適する。しかし、輪っか１６の径がテンプル７の径より大きいと、嵌合が緩く、動く虞もあるから、その場合は書面を止めるクリップ等１７で外側を挟んでおけばよい。ところで、常時、眼鏡を掛けている人は、自己の眼鏡を使用すればよいが、掛けていない人は度のない眼鏡等が必要になる。
【００１３】
図４、図５は第二の考案に係るフェイスシールド１の一部を示す一部側面図、図６は装着した状態を示す斜視図であるが、このフェイスシシールド１は、帽子１８に取り付けられるものである。フェイスシールド１の構造、サイズ等は、第一の考案のものと同じで、プレート&#9353;とアーム３とを主体とする。ただ、アーム３は第１の考案のものよりも長くなるが、舌片４等は必要としない。帽子１８には通常その内側下縁にスベリ１９と呼ばれる帯状のものが設けられており、このスベリ１９は下端で屈折可能、つまり、折り延ばし、折り返しができるようになっている。
【００１４】
このフェイスシシールド１の帽子１８への取り付けは、図４のようにアーム３の上端をスベリ１９に挟み込んで挟持する。すると、図３、図４のようにフェイスシールド１が帽子１８の下方に吊下される。ただ、フレート&#9353;が目の前にあるのは好ましくないので、その上縁は目の下を横伸するようにしておく。この点で、アーム３が第一の考案のものよりも長くなるのてある。このフェイスシシールド１を使用するには、帽子１８が必要となるが、その場合でも、スベリ１９が付いているものが条件である。野球帽等はスベリ１９が付いているが、スベリ１９が付いている限りは、形状、構造に関わらない。
【符号の説明】
【００１５】
１    フェイスシールド
２    プレート
３    アーム
４    舌片
５    スリット
６    眼鏡
７    テンプル
８    蝶番
９    智
１０  レンズ
１１  リム
１２  フロント
１３  ブリッジ
１４  パッド
１５  モダン
１６  輪っか
１７  クリップ等
１８  帽子
１９  スベリ
【図１】
0003228055.tif 000003
【図２】
0003228055.tif 000004
【図３】
0003228055.tif 000005
【図４】
0003228055.tif 000006
【図５】
0003228055.tif 000007
【図６】
0003228055.tif 000008
【図７】
0003228055.tif 000009